(57)【要約】階層ネットワークアーキテクチャを有する無線通信システムにおけるデータの伝送を制御するための方法が記述される。下位階層の装置（ノードＢ１，ノードＢ２）は負荷に基づくシグナリング（ＣＬＲ）を階層ネットワークアーキテクチャの上位階層の装置（ＣＲＮＣ）に伝送し、この上位階層の装置（ＣＲＮＣ）は負荷に基づくシグナリング（ＣＬＲ）に基づいて下位階層の装置（ノードＢ１，ノードＢ２）の伝送容量の制御（ＲＡ）を実施する。
2005536916.tif 000002
【特許請求の範囲】
【請求項１】
階層ネットワークアーキテクチャを有する無線通信システムにおけるデータの伝送を制御するための方法において、
階層ネットワークアーキテクチャの下位階層の装置（ノードＢ１，ノードＢ２）は負荷に基づくシグナリング（ＣＬＲ）を階層ネットワークアーキテクチャの上位階層の装置（ＣＲＮＣ）に伝送し、該上位階層の装置（ＣＲＮＣ）は前記負荷に基づくシグナリング（ＣＬＲ）に基づいて前記下位階層の装置（ノードＢ１，ノードＢ２）の伝送容量の制御（ＲＡ）を実施することを特徴とする、階層ネットワークアーキテクチャを有する無線通信システムにおけるデータの伝送を制御するための方法。
【請求項２】
負荷に基づくシグナリング（ＣＬＲ）として、下位階層の装置（ノードＢ１，ノードＢ２）によりサーブされる無線通信システムのエリアに対する負荷状態に関する情報が伝送されることを特徴とする、請求項１記載の方法。
【請求項３】
負荷状態に関する情報（ＣＬＲ）として、最下位階層の装置（ノードＢ１，ノードＢ２）と端末（ＵＥ１，ＵＥ２，ＵＥ３）との間の無線コネクションに対する無線通信システムの所定の動作パラメータ及び／又はシグナリングタイプに対する時間平均負荷値が伝送されることを特徴とする、請求項２記載の方法。
【請求項４】
負荷に基づくシグナリング（ＣＬＲ）に基づいて、最下位階層の所定の装置（ノードＢ１，ノードＢ２）への端末（ＵＥ１，ＵＥ２，ＵＥ３）の割り当ての検査が行われることを特徴とする、請求項１〜３のうちの１項記載の方法。
【請求項５】
無線通信システムとしてセルラー無線通信システムが設けられており、
負荷に基づくシグナリング（ＣＬＲ）に基づいて、無線ネットワークの第１のセル（Ａ，Ｂ，Ｃ，Ｄ）から無線通信システムの第２のセル（Ａ，Ｂ，Ｃ，Ｄ）への少なくとも１つの端末（ＵＥ１，ＵＥ２，ＵＥ３）に対するハンドオーバ可能性の検査が行われることを特徴とする、請求項４記載の方法。
【請求項６】
負荷に基づくシグナリング（ＣＬＲ）は所定のタイムイベントに依存して伝送されることを特徴とする、請求項１〜５のうちの１項記載の方法。
【請求項７】
負荷に基づくシグナリング（ＣＬＲ）は周期的に伝送されることを特徴とする、請求項６記載の方法。
【請求項８】
負荷に基づくシグナリング（ＣＬＲ）は無線通信システムの所定の動作イベントに依存して伝送されることを特徴とする、請求項１〜５のうちの１項記載の方法。
【請求項９】
負荷に基づくシグナリング（ＣＬＲ）は下位階層の装置（ノードＢ１，ノードＢ２）によりサーブされる無線通信システムのエリアに対する所定の負荷状態に依存して行われることを特徴とする、請求項８記載の方法。
【請求項１０】
負荷に基づくシグナリング（ＣＬＲ）は負荷状態に対する所定の閾値に依存して行われることを特徴とする、請求項９記載の方法。
【請求項１１】
データパケットの伝送の制御はパケットデータ伝送システムにおいて行われることを特徴とする、請求項１〜１０のうちの１項記載の方法。
【請求項１２】
データの伝送を制御するための装置（ＣＲＮＣ，ＳＲＮＣ１，ＳＲＮＣ２）を有する階層ネットワークアーキテクチャを有する無線通信システムであって、階層ネットワークアーキテクチャは下位階層の装置（ノードＢ１，ノードＢ２）及び少なくとも１つの上位階層の装置（ＣＲＮＣ）を有する、データの伝送を制御するための装置（ＣＲＮＣ，ＳＲＮＣ１，ＳＲＮＣ２）を有する階層ネットワークアーキテクチャを有する無線通信システムにおいて、
下位階層の少なくとも１つの装置（ノードＢ１，ノードＢ２）は負荷に基づくシグナリング（ＣＬＲ）を上位階層の装置に伝送するように構成されており、
上位階層の装置（ＣＲＮＣ）は前記負荷に基づくシグナリング（ＣＬＲ）に基づいて前記下位階層の装置（ノードＢ１，ノードＢ２）の伝送容量を制御（ＲＡ）するように構成されていることを特徴とする、データの伝送を制御するための装置（ＣＲＮＣ，ＳＲＮＣ１，ＳＲＮＣ２）を有する階層ネットワークアーキテクチャを有する無線通信システム。
【請求項１３】
パケットデータ伝送システムとして構成されている、請求項１２記載の無線通信システム。
【発明の詳細な説明】
【技術分野】
【０００１】
本発明は階層ネットワークアーキテクチャ及び端末を有する無線通信システムにおけるデータの伝送を制御するための方法に関する。よって、無線通信システム全体は２つの基本的なコンポーネントから構成される。一方で端末が設けられ、これらの端末は無線通信システムにおけるデータコネクションの出力地点又は入力地点である。端末は動かない固定的な端末として又は移動端末として形成されうる。他方で階層的に構造化されたネットワーク装置から成るネットワークアーキテクチャが設けられており、このネットワークアーキテクチャは無線インターフェースを介して端末とデータ交換を行う。階層ネットワークアーキテクチャの装置も動かない固定的な装置として又は移動装置として形成されうる。さらに、装置が端末としても階層ネットワークアーキテクチャの装置としても振る舞いうる無線通信ネットワークが、例えば分散アドホックネットワークの場合に設けられ得る。
【０００２】
このようなネットワークアーキテクチャはこのネットワークアーキテクチャが異なる階層レベルの装置を有することを意味し、上位階層の装置には下位階層の装置に関する特定の制御及び監視任務を割り当てられている。このような無線通信システムにおいては原理的にあらゆるタイプのデータ伝送が設けられうる。すなわち、シグナリングデータ又は音声データ、マルチメディアデータなどの有効データ、例えばパケットデータの伝送が設けられうる。
【０００３】
従来技術からは階層ネットワークアーキテクチャを有する無線通信システムは十分に公知である。よって、例えばＵＳ２００２／００２１６９２はパケットデータ伝送のために設計されている移動遠隔通信システムを記述している。この場合、とりわけ第３世代パートナーシッププロジェクト２オーガニゼーション（３ＧＰＰ２）の枠内で標準化されるような高いデータレート（ハイデータレートＨＤＲ）を有するパケットデータ伝送のための方法が記述されている。そこでは、とりわけアクセスネットワーク（ＡＮ）とアクセスターミナル（ＡＴ）との間のパケットデータ伝送の制御が記述され、この制御はアクセスターミナル（ＡＴ）とアクセスネットワーク（ＡＮ）との間のリバースリンクにおけるシグナリングに依存して、すなわち、エアーインターフェースにおけるシグナリングに依存して行われる。この文書の枠内では特にリバースリンクにおける負荷、すなわち階層ネットワークアーキテクチャと端末との間の負荷が最適化されるべきである。
【０００４】
従って、本発明の課題は、階層ネットワークアーキテクチャ及び端末を有する無線通信システムにおけるデータの伝送の制御の最適化のための方法を提供することである。上記課題は、独立請求項の構成によって解決される。本発明の改善実施形態は従属請求項から得られる。
【０００５】
本発明は階層ネットワークアーキテクチャ及び端末を有する無線通信システムにおけるデータの伝送の制御のための方法を含む。本発明によれば、階層ネットワークアーキテクチャの下位階層の装置は負荷に基づくシグナリングを階層ネットワークアーキテクチャの上位階層の装置へと伝送し、上位階層の装置はこの負荷に基づくシグナリングに基づいて下位階層の装置の伝送容量の制御を実施する。こうして上位階層の装置はどのようなデータ負荷が下位階層の相応の装置に存在するかということに基づく情報を得る。上位階層の装置は下位階層の装置の監視及び／又は制御を、特に下位階層の装置の伝送容量の制御をこれらの情報に基づいて適応させることができる。よって、この方法は、とりわけ、異なる階層レベル間での標準シグナリングが設計されており、上位階層の装置が下位階層の装置における動作状態に関してほんの限定された知識しか持たない又は全く知識を持たないような無線通信システムにおいて有利であり、この場合、特に下位階層の相応の装置におけるデータ負荷と特定の関連を持つような動作状態に関する知識である。
【０００６】
本発明の改善実施形態では、負荷に基づくシグナリングとして特に下位階層の装置によりサーブ（serve）された無線通信システムのエリアに対する負荷状態に関する情報が伝送される。よって、この特殊ケースでは、下位階層の装置における負荷状態に関する直接的な内容を含んでいるような情報が伝送される。これによって上位階層の装置には下位階層の装置におけるこれらの負荷状態に関する直接的な知識が存在する。
【０００７】
とりわけ、負荷状態に関する情報として、下位階層の装置と端末との間の無線コネクションに対する無線通信システムの所定の動作パラメータ及び／又はシグナリングタイプに対する時間平均された負荷値が伝送される。このような所定の動作パラメータ及び／又はシグナリングタイプは例えば物理的伝送容量の平均利用量、特定の変調タイプの平均使用量、選択されたシグナリングの送信の平均回数、データバッファの平均使用率などであってもよい。時間平均によって、負荷値が時間的に大きく変化する場合に、一回だけかつ短期間にもとめられた負荷値だけが無線通信システムの後続シーケンスに影響を及ぼさないことがまさに保証される。
【０００８】
負荷に基づくシグナリングは階層的無線通信システム内部の多様なシーケンスを最適化するために使用される。例えば、同じ階層の個々の装置が互いに相応の負荷に基づくシグナリングに関する情報を交換し、この結果、間接的に上位階層の装置もこれらの上位階層の装置には直接的には割り当てられてはいない下位階層の装置の負荷に基づくシグナリング情報を得ることも可能であろう。
【０００９】
負荷に基づくシグナリングはとりわけ割り当てられた下位階層の装置における負荷状況及び負荷分散に関する知識を上位階層の装置に提供する。例えば上位階層の装置によって個々の割り当てられた下位階層の装置における負荷状況の最適化乃至は調整が開始される。よって、とりわけ負荷に基づくシグナリングに基づいて最下位階層の所定の装置への端末の割り当ての検査が行われる。本発明によれば、上位階層の装置は下位階層の割り当てられた装置の負荷状況のオーバービューを有するので、上位階層の装置は少なくとも下位階層の所定の装置への端末の変更される割り当てに対する提案を行うことができ、又は、上位階層の装置が下位階層の所定の装置への端末の変更される割り当てを直接初期化する。
【００１０】
上記の方法の特別な改善実施形態は、無線通信システムとしてセルラー無線通信システムが設けられている場合に実現される。負荷に基づくシグナリングに基づいて無線ネットワークの第１のセルから無線通信システムの第２のセルへの少なくとも１つの端末に対するコネクション転送可能性（ハンドオーバ）の検査が行われる。セルラー無線通信システムにおける端末に対するこのようなハンドオーバの引き続いての実施のための方法は従来技術から原理的には十分に公知であり、ここではこれ以上は説明する必要はない。
【００１１】
負荷に基づくシグナリングは下位階層の装置の様々なイベントに依存して上位階層の装置に伝送される。よって、例えば負荷に基づくシグナリングは所定のタイムイベントに依存して伝送されうる。このようなタイムイベントとしては離散的な所定の時点が定められるか又は所定の時間インターバルのシーケンスがタイムイベントとして定義されるかのいずれかである。特殊ケースとしては、負荷に基づくシグナリングが周期的に伝送され、すなわち連続する同一の時間インターバルの経過の後でその都度伝送されるように構成される。
【００１２】
代替的に、負荷に基づくシグナリングが無線通信システムの所定の動作イベントに依存して伝送されるようにも構成されうる。よって、例えば負荷に基づくシグナリングが下位階層の装置によってサーブされる無線通信システムのエリアに対する所定の負荷状態に依存して行われうる。しかしまた、原理的には負荷に基づくシグナリングをトリガする任意の他の動作イベントが定義されうる。よって、負荷に基づくシグナリングは例えば無線通信システム内の所定のシグナリングにも結びつけられうる。
【００１３】
上記の方法の特殊ケースとして、負荷に基づくシグナリングは負荷状態に対する所定の閾値に依存して行われる。すなわち、所定の負荷状態に対する予め定められた閾値を上回るか又は下回る場合に負荷に基づくシグナリングが行われる。所定の負荷状態としては、例えば既に述べた物理的伝送容量の利用量、特定の変調タイプの使用量などのような無線通信システムの動作パラメータ及び／又はシグナリングタイプが使用される。
【００１４】
本発明の方法は原理的に階層的に構造化されたネットワークアーキテクチャを有するあらゆる適当なタイプの無線通信システムに適用されうる。とりわけ有利にはパケットデータ伝送システムにおけるデータパケットの伝送の制御のための方法が使用される。
【００１５】
本発明の更なる対象は、データの伝送の制御のための装置を有しさらに端末を有する階層ネットワークアーキテクチャを有する無線通信システムである。この場合、階層ネットワークアーキテクチャは下位階層の複数の装置及び少なくとも１つの上位階層の装置を有する。本発明によれば、少なくとも１つの下位階層の装置が上位階層の装置への負荷に基づくシグナリングを伝送するように構成されており、この上位階層の装置はこの負荷に基づくシグナリングに基づいて下位階層の装置の伝送容量を制御するように構成されている。
【００１６】
この本発明による無線通信システムの利点は既に上記の本発明の方法において説明したのと同じように得られる。本発明の無線通信システムの個々の装置も上記の本発明の方法の個々の又は全てのステップを実施するのに適しているように構成及び適合されうる。
【００１７】
無線通信システムとして原理的にはあらゆる適当なタイプの無線通信システムを設けることができる。有利にはこの無線通信システムはパケットデータ伝送システムとして構成される。
【００１８】
以下において図１に基づいて本発明の特別な実施例をパケットデータ伝送のための無線通信システムの例において説明する。
【００１９】
図１はパケットデータ伝送のための無線通信システムの概略図を示す。
【００２０】
図１は概略的にブロック線図の形式でパケットデータ伝送のための無線通信システムの最重要コンポーネントを示している。既に冒頭で言及した３ＧＰＰでは、端末への効果的なパケットデータ伝送を可能にするべき方法が規定される。本発明の方法の構成部分は、例えば基地局（パケット伝送の枠内ではノードＢとも呼ばれる、図１参照）すなわちパケットデータ伝送のための無線通信システムの最下位階層の装置における適応変調及び物理リソースの時間的に適応した割り当て（スケジューリング）である。この方法は、概念「ハイスピードダウンリンクパケットアクセス（ＨＳＤＰＡ）」とも呼ばれ、ダウンリンクは基地局から端末ＵＥ（User Equipment）へ下方へのパケットデータの伝送である。
【００２１】
３ＧＰＰの枠内では、基地局ノードＢの責任及び任務エリアを通常の無線通信システムに比べて拡張する。基地局ノードＢにはこの場合これらの基地局ノードＢに端末ＵＥへのパケットデータ伝送のために割り当てられる伝送容量、すなわち物理リソースを共通に利用されるチャネルにおいて制御するという唯一の責任が課せられる。この場合、端末ＵＥと基地局ノードＢとの間のシグナリングはパケットデータの誤った伝送の場合にも行われ、この誤った伝送に基づいてこの基地局ノードＢが誤って伝送されたデータパケットを改めて伝送する。このために基地局ノードＢによってネットワークアーキテクチャの階層的により上位にある装置からのデータパケットが要求され、エアーインターフェースを介して端末ＵＥにデータパケットの伝送が行われるまで、第１のデータバッファメモリ、いわゆるスケジューリングキューに格納される。送信されるデータパケットは第２のデータメモリ、いわゆるリトランスミッションバッファにおいて、データパケットのエラーのない受信が相応の端末によって肯定的に応答されるまで又は所定の送信期間を越えるまで、格納される。
【００２２】
無線通信システムのネットワークアーキテクチャの上位階層の装置も図１に図示されており、すなわち交換及び制御装置として構成されたネットワークノード、いわゆるコントローリング・ラジオ・ネットワーク・コントローラＣＲＮＣである。このネットワークノードＣＲＮＣはとりわけ基本的にこのネットワークノードＣＲＮＣにとって階層的に下位にある基地局ノードＢ１、ノードＢ２の伝送容量、すなわち物理リソースのコントロールを行う。無線通信システムでは通常は多数のこのようなネットワークノードが設けられており、これらのネットワークノードは場合によってはさらにより上位の階層レベルを有する更に別の装置にとっては下位に配置される。従って、ネットワークノードＣＲＮＣ及びこれらのネットワークノードＣＲＮＣとデータ技術的に接続された基地局ノードＢ１、ノードＢ２は無線通信システムの階層ネットワークアーキテクチャを形成する。
【００２３】
この無線通信システムは図１の場合にはセルラー無線通信システムとして構成されている。基地局ノードＢ１はセルＡ及びセルＢをサーブし、基地局ノードＢ２はセルＣ及びセルＤをサーブする。図１の例では、ちょうど１つの端末ＵＥ１がセルＢの中にあり、２つの端末ＵＥ２、ＵＥ３がセルＣの中にある。
【００２４】
３ＧＰＰにおいて提案される手段では、基地局ノードＢ１、ノードＢ２は、端末ＵＥ１、ＵＥ２、ＵＥ３へのデータパケットの伝送のための物理リソースを計画し、適切に割り当てる機能を与えられている。リソースのこの計画及び割り当てを基地局はセルにおける所定の瞬時のアプリケーションに対する伝送品質乃至はサービス品質（クオリティ・オブ・サービスＱｏＳ）に対する値に基づいて、無線インターフェースにおけるデータレートに基づいて及び／又は各無線セルにおける瞬時の妨害及び負荷状況に基づいて実施する。これによって、基地局には、通常、集中管理ネットワークアーキテクチャ（ＵＴＲＡＮ）では上位のネットワークノードＣＲＮＣによって果たされる特定のコントロール機能がゆだねられる。これは階層的に上位にあるネットワークノードＣＲＮＣがより下位にある基地局ノードＢ１、ノードＢ２における瞬時の負荷状況に関する情報を条件付きでしか又は全く持たないという問題をもたらす。これによって、ネットワークノードＣＲＮＣは階層ネットワークアーキテクチャでも重要である例えばアドミッションコントロール及び負荷コントロールのような特定の監視及び制御機能を効果的に実行することができなくなる。
【００２５】
上記の問題は、ちょうど今述べたように、ＨＳＤＰＡ原理によって作動するパケットデータ伝送のための無線通信システムにおいて生じうる。しかし、原理的には、既に冒頭で示したように、類似の考察が他の階層的無線通信システムにも当てはまる。パケットデータ伝送のための無線通信システムにおけるＨＳＤＰＡ原理の利用においては、一方でＣＲＮＣが端末ＵＥへの無線コネクションのセットアップの際にこのＣＲＮＣにより管理される基地局ノードＢに物理リソースをリリースする（ＨＳＤＰＡに対するリソースアロケーションRessource Allocation for HSDPA、図１では短縮してＲＡ  ＨＳＤＰＡ）。しかし、本発明の手段なしではＣＲＮＣは基地局ノードＢによってこれらの物理リソースの実際の利用に関する知識を得られないだろう。なぜなら、伝送すべきデータパケットの時間的に適応された分配（スケジューリング）は基地局ノードＢにおいて行われるからである。よって、ＣＲＮＣは本発明の手段なしでは無線通信システムの下位に配置されたセルにおいてリリースされたリソースの実際の利用に関してコントロールできないだろう。
【００２６】
ここで本発明が手段を提供する。図１に図示されているように、各セルＡ、Ｂ、Ｃ、Ｄにおける瞬時の負荷状態が基地局ノードＢ１、ノードＢ２からＣＲＮＣに伝達される（セルＡ、Ｂ乃至はＣ、Ｄに対するセルロードレポーティング Cell Load Reporting ＣＬＲ）。すなわち、負荷に基づくシグナリングとして直接的に各基地局ノードＢ乃至は各セルにおける負荷状態が伝送される。これによって、ＨＳＤＰＡの使用においても乃至は原理的には階層的無線通信システムにおける類似の問題においても、ＣＲＮＣは上位階層の装置として、より下位階層の装置ノードＢに対するさらに十分な監視及び制御機能を実行できることが保証される。このような監視及び制御機能は例えばアドミッションコントロール（ＡＣ）又は負荷コントロール（ＬＣ）である。
【００２７】
セルＡ、Ｂ、Ｃ、Ｄにおける負荷状態の伝達ＣＬＲは例えば周期的又はイベント制御されて行われ、例えば所定の閾値を上回るか又は下回る場合に行われる。セルＡ、Ｂ、Ｃ、Ｄにおける瞬時の負荷状態は数値として伝送され、これらの数値はシグナリング又はＨＳＤＰＡに対して割り当てられた物理リソースの平均利用量に対する時間平均値である。よって、例えばコードチャネルの個数の平均利用数、所定の変調タイプの平均使用量、バッファメモリ（スケジューリングキュー）の平均使用率又は（ＨＡＲＱ  ＡＣＱ及びＮＡＣＫのような）確認応答シグナリングの平均個数が瞬時の負荷状態に対する値の形成のために使用されうる。
【００２８】
さらに、伝達される負荷情報はＣＲＮＣによって別のネットワークノードＳＮＲＣ（サービングＲＮＣ  serving RNC）に無線通信システムにおける負荷分散の最適化のためにハンドオーバ指示ＨＯＩ（Handover Indication）を与えるために使用される。
【００２９】
これの背景は次のようなものである：
各ネットワークノードＣＲＮＣは、所定の端末ＵＥが瞬時にこの所定のＲＮＣのエリアに存在するのでこのネットワークノードがこの所定の端末ＵＥに関して特定のコントロール機能を実行する最初のネットワークノードである場合には、この所定の端末ＵＥに対してサービングＲＮＣ（ＳＲＮＣ）となりうる。端末ＵＥが移動し、この場合にこのＳＲＮＣのエリアを離れて、別のＣＲＮＣのエリアに入る場合には、このＳＲＮＣは引き続きこの端末ＵＥのコントロールを保持し、新しいＣＲＮＣはこのＳＲＮＣのコントロール活動の転送のためにのみ使用される。それゆえ、新しいＣＲＮＣはこれらのコントロール活動に対するドリフトＲＮＣ（ＤＲＮＣ）と呼ばれる。すなわち、このような場合に端末ＵＥに例えばデータコネクションのためのリソースが割り当てられなければならないならば、これをこのＳＲＮＣがもはや自身で制御することができない。なぜなら、この端末ＵＥはＤＲＮＣのエリアに存在するからである。このＳＲＮＣはこの場合このＤＲＮＣに相応のリソースのリリースを問い合わせなければならない。
【００３０】
図１には２つのＳＲＮＣが図示されている。ＳＲＮＣ１は端末ＵＥ１のコントロールを担当し、ＳＲＮＣ２は端末ＵＥ２、ＵＥ３のコントロールを担当する。しかし、端末ＵＥ１、ＵＥ２、ＵＥ３はその間に同様に図１に図示されたＣＲＮＣのエリアに存在し、このＣＲＮＣは今や端末ＵＥ１、ＵＥ２、ＵＥ３及びＳＲＮＣ１、ＳＲＮＣ２に対してＤＲＮＣとして振る舞い、このＤＲＮＣに割り当てられたノードＢの物理リソースを管理する。しかし、ＤＲＮＣとして振る舞うＣＲＮＣは、セルＡ、Ｂ、Ｃ、Ｄ乃至はノードＢ１及びノードＢ２における負荷状況に関する知識に基づいてそれぞれＳＲＮＣ１及びＳＲＮＣ２に例えばハンドオーバ指示ＨＯＩ（Handover Indication）のような推奨を伝達することができる。
【００３１】
ＨＳＤＰＡでは最終的なハンドオーバ決定は相応のＳＲＮＣによって行われる。原理的にはハンドオーバ決定は端末ＵＥへの無線コネクションのための伝送品質に基づいて行われる。負荷に基づくハンドオーバ決定はここでは無線通信システムの動作の最適化のための更なる可能性を提供し、当然、他のタイプの階層的無線通信システムにおいても適用可能である。これによって、第１のセルから第２のセルへの無線コネクション（サービングハイスピードダウンリンク共有チャネル  Serving Highspeed Downlink Shared Channel ＨＳ−ＤＳＣＨラジオリンク）を形成する付加的な可能性がもたらされる。
【００３２】
こうして、図１の例ではＣＲＮＣは基地局ノードＢ２の伝達された負荷情報ＣＬＲに基づいてＳＲＮＣ２にハンドオーバ指示ＨＯＩを送信することができ、セルＣにおいて特定リソースの平均利用量が所定の閾値を上回る場合にはこのハンドオーバ指示ＨＯＩに基づいて端末ＵＥ３への無線コネクションのハンドオーバがセルＣからセルＤに行われる。このようなハンドオーバの実施に対する更に別の前提は、新しいセル、この場合にはセルＤにおいて端末ＵＥ３に対する十分な受信条件が存在する場合にのみこれが行われるようにすると有利である。さらに、ＣＲＮＣはこのＣＲＮＣにとって既知の無線通信システムの他の装置の負荷情報に基づいて所望されるハンドオーバを拒否するか又はもしこれが無線通信システムにおける負荷状況の最適化に役立つならば受け入れることもできる。
【００３３】
こうして、本発明によって、とりわけ次のようなＣＲＮＣの機能がサポートされる。すなわち、
・ＨＳＤＰＡによるデータの伝送のために割り当てられるリソースのダイナミックな適応、例えば伝送に使用されるコード（チャネライゼーションコードchanneliszation codes）の個数の低減又は増大、
・要求されるパケットデータ伝送コネクションの受け入れ又は拒否、
・ハンドオーバの受け入れ又は拒否、
・ＣＲＮＣにより管理されるセルにおける負荷状況乃至は物理リソースの利用の最適化のためのＳＲＮＣへのハンドオーバ指示の伝達
である。
【図面の簡単な説明】
【００３４】
【図１】パケットデータ伝送のための無線通信システムの概略図を示す。
【符号の説明】
【００３５】
ＵＥ  端末
ノードＢ  基地局
Ａ、Ｂ、Ｃ、Ｄ  セル
ＲＡ ＨＳＤＰＡ  ＨＳＤＰＡに対するリソースアロケーション（Ressource Allocation for HSDPA）
ＣＬＲ  セルロードレポーティング
ＣＲＮＣ  コントローリング・ラジオ・ネットワーク・コントローラ
ＤＲＮＣ  ドリフトＲＮＣ（Drift RNC）
ＳＲＮＣ  サービングＲＮＣ（Serving RNC）
ＡＣ  アドミッションコントロール
ＬＣ  負荷コントロール
ＨＯＩ  ハンドオーバ指示（Handover Indication）
【図１】
2005536916.tif 000003
【手続補正書】
【提出日】平成16年5月17日(2004.5.17)
【手続補正１】
【補正対象書類名】特許請求の範囲
【補正対象項目名】全文
【補正方法】変更
【補正の内容】
【特許請求の範囲】
【請求項１】
階層ネットワークアーキテクチャを有する無線通信システムにおけるデータの伝送を制御するための方法であって、
階層ネットワークアーキテクチャの下位階層の装置（ノードＢ１，ノードＢ２）によって端末（ＵＥ１，ＵＥ２，ＵＥ３）へのデータ伝送のための物理リソースが管理される、階層ネットワークアーキテクチャを有する無線通信システムにおけるデータの伝送を制御するための方法において、
階層ネットワークアーキテクチャの下位階層の装置（ノードＢ１，ノードＢ２）から物理リソースの瞬時の負荷状態に関する情報（ＣＬＲ）が階層ネットワークアーキテクチャの上位階層の装置（ＣＲＮＣ）に負荷分散の制御のために伝送されることを特徴とする、階層ネットワークアーキテクチャを有する無線通信システムにおけるデータの伝送を制御するための方法。
【請求項２】
情報（ＣＬＲ）によって下位階層の装置（ノードＢ１，ノードＢ２）によりサーブされる無線通信システムのエリアに対する負荷状態が伝送されることを特徴とする、請求項１記載の方法。
【請求項３】
負荷状態に関する情報（ＣＬＲ）として、最下位階層の装置（ノードＢ１，ノードＢ２）と端末（ＵＥ１，ＵＥ２，ＵＥ３）との間の無線コネクションに対する無線通信システムの所定の動作パラメータ及び／又はシグナリングタイプに対する時間平均負荷値が伝送されることを特徴とする、請求項２記載の方法。
【請求項４】
負荷に基づくシグナリング（ＣＬＲ）に基づいて、最下位階層の所定の装置（ノードＢ１，ノードＢ２）への端末（ＵＥ１，ＵＥ２，ＵＥ３）の割り当ての検査が行われることを特徴とする、請求項１〜３のうちの１項記載の方法。
【請求項５】
無線通信システムとして、セルラー無線通信システムが設けられており、
負荷に基づくシグナリング（ＣＬＲ）に基づいて、無線ネットワークの第１のセル（Ａ，Ｂ，Ｃ，Ｄ）から無線通信システムの第２のセル（Ａ，Ｂ，Ｃ，Ｄ）への少なくとも１つの端末（ＵＥ１，ＵＥ２，ＵＥ３）に対するハンドオーバ可能性の検査が行われることを特徴とする、請求項４記載の方法。
【請求項６】
負荷に基づくシグナリング（ＣＬＲ）は所定のタイムイベントに依存して伝送されることを特徴とする、請求項１〜５のうちの１項記載の方法。
【請求項７】
負荷に基づくシグナリング（ＣＬＲ）は周期的に伝送されることを特徴とする、請求項６記載の方法。
【請求項８】
負荷に基づくシグナリング（ＣＬＲ）は無線通信システムの所定の動作イベントに依存して伝送されることを特徴とする、請求項１〜５のうちの１項記載の方法。
【請求項９】
負荷に基づくシグナリング（ＣＬＲ）は下位階層の装置（ノードＢ１，ノードＢ２）によりサーブされる無線通信システムのエリアに対する所定の負荷状態に依存して行われることを特徴とする、請求項８記載の方法。
【請求項１０】
負荷に基づくシグナリング（ＣＬＲ）は負荷状態に対する所定の閾値に依存して行われることを特徴とする、請求項９記載の方法。
【請求項１１】
データパケットの伝送の制御はパケットデータ伝送システムにおいて行われることを特徴とする、請求項１〜１０のうちの１項記載の方法。
【請求項１２】
データの伝送を制御するための装置（ＣＲＮＣ，ＳＲＮＣ１，ＳＲＮＣ２）を有する階層ネットワークアーキテクチャを有する無線通信システムであって、階層ネットワークアーキテクチャは下位階層の装置（ノードＢ１，ノードＢ２）及び少なくとも１つの上位階層の装置（ＣＲＮＣ）有する、データの伝送を制御するための装置（ＣＲＮＣ，ＳＲＮＣ１，ＳＲＮＣ２）を有する階層ネットワークアーキテクチャを有する無線通信システムにおいて、
下位階層の少なくとも１つの装置（ノードＢ１，ノードＢ２）は端末（ＵＥ１，ＵＥ２，ＵＥ３）へのデータ伝送のために管理された物理リソースの瞬時の負荷状態に関する情報（ＣＬＲ）を上位階層の装置（ＣＲＮＣ）に伝送するように構成されており、
該上位階層の装置（ＣＲＮＣ）は前記情報（ＣＬＲ）に基づいて負荷分散を制御するように構成されていることを特徴とする、データの伝送を制御するための装置（ＣＲＮＣ，ＳＲＮＣ１，ＳＲＮＣ２）を有する階層ネットワークアーキテクチャを有する無線通信システム。
【請求項１３】
パケットデータ伝送システムとして構成されている、請求項１２記載の無線通信システム。
【国際調査報告】
2005536916.tif 000004
2005536916.tif 000005
2005536916.tif 000006
2005536916.tif 000007
2005536916.tif 000008
2005536916.tif 000009